(57)【要約】【課題】  ブラシによって優しく且つ効果的に頭皮のマッサージ及び洗浄等或いは患部のマッサージを行うことができるようにする。【解決手段】  ブラシ部２の可撓性を有する基板３の一側面３Ａに複数の突起４を前記基板３の軸線Ａを中心として軸対称となるように、且つ前記突起４の前記軸線Ｄが前記基板３の一側面３Ａと直交するように、前記基板３と一体に形成し、前記基板３の縁３Ｂを枠体５に固定し、駆動部としてのモータ８を作動させることで、往復駆動手段７によって、この往復駆動手段７に連結された前記基板３を、上に撓んだ湾曲凹状態と下に撓んだ湾曲凸状態の間で前記軸線Ａに沿って繰り返し変形させることにより、前記基板３に設けられた複数の突起４が繰り返し開閉することになり、頭皮Ｇを掴んだり押し広げたりする動作を繰り返し、頭皮Ｇのマッサージ及び頭皮Ｇと髪Ｈの洗浄を行うことができる。【選択図】図４
2006034941.tif 000002
【特許請求の範囲】
【請求項１】
駆動部と、前記駆動部によって動作するブラシ部とを有するブラシ装置において、前記ブラシ部が、可撓性を有する材質から成る板状の基板と、この基板の面に対して交差する方向に突出して設けられた複数の突起とで構成され、前記駆動部に、前記ブラシ部の基板の周縁を前記駆動部に対する位置関係が略固定された状態で保持される枠体を設けると共に、前記駆動部に、前記基板の面と交差する方向にこの基板を撓ませる往復駆動手段を設けたことを特徴とするブラシ装置。
【請求項２】
前記基板の周縁全体を保持するように、前記枠体が設けられたことを特徴とする請求項１記載のブラシ装置。
【請求項３】
前記突起の少なくとも基部が、前記基板の撓みに依らず、前記基板に対する角度を略一定に保つように形成されていることを特徴とする請求項１又は２記載のブラシ装置。
【請求項４】
前記突起の少なくとも先端部が可撓性を有する材料から成ることを特徴とする請求項１〜３の何れか１項に記載のブラシ装置。
【請求項５】
前記往復駆動手段を、前記駆動部内に設けられた電動機と、この電動機直接又は間接的に連結されたクランク機構と、このクランク機構に対して一側を連結すると共に前記基板に対して他側を連結したコンロッドを備えたことを特徴とする請求項１〜４の何れか１項に記載のブラシ装置。
【請求項６】
駆動部と、可撓性を有する基板の面に対して交差する方向に突出する複数の突起を有するブラシ部とを有し、このブラシ部の基板の周縁を枠体によって保持することで前記駆動部に対する前記基板の周縁の位置関係を略固定し、前記基板の中央部を、往復駆動手段によって前記基板の面と交差する方向に撓ませることで、前記複数の突起を繰り返し相互に開閉させることを特徴とするブラシ装置のブラッシング方法。
【請求項７】
駆動部と、前記駆動部によって動作する施療部とを有するマッサージ装置において、前記施療部が、可撓性を有する材質から成る板状の基板と、この基板の面に対して交差する方向に突出して設けられた複数の突起とで構成され、前記駆動部に、前記施療部の基板の周縁を前記駆動部に対する位置関係が略固定された状態で保持される枠体を設けると共に、前記駆動部に、前記基板の面と交差する方向にこの基板を撓ませる往復駆動手段を設けたことを特徴とするマッサージ装置。
【請求項８】
駆動部と、可撓性を有する基板の面に対して交差する方向に突出する複数の突起を有する施療部とを有し、この施療部の基板の周縁を枠体によって保持することで前記駆動部に対する前記基板の周縁の位置関係を略固定し、前記基板の中央部を、往復駆動手段によって前記基板の面と交差する方向に撓ませることで、前記複数の突起を繰り返し相互に開閉させることを特徴とするマッサージ装置のマッサージ方法。
【発明の詳細な説明】
【技術分野】
【０００１】
本発明は、洗髪時における頭皮のマッサージ等に使用するブラシ装置、及びそのブラッシング方法、並びにマッサージ装置、及びそのマッサージ方法に関するものである。
【背景技術】
【０００２】
従来、この種のブラシ装置として、例えば、モータを内蔵したケーシングに弾性部材を介して振動ヘッドを設け、該振動ヘッド内に前記モータのモータ軸を突設させ、該モータ軸に振動子を偏心して取り付け、さらに、前記振動ヘッドの一側面に柔軟物質から成るブラシを取り付けたマッサージ兼電動洗髪ブラシが公知である（例えば特許文献１）。このマッサージ兼電動洗髪ブラシにおいては、前記ブラシは円盤状に形成された基板としてのブラシ本体部と、該ブラシ本体部の一側面に多数突設された突起としての針状体片とから成る。そして、このマッサージ兼電動洗髪ブラシを使用する場合、使用者は、まずケーシングを把持して前記ブラシを頭部に押し当て、前記モータを作動させることで、前記振動ヘッドに内蔵されている振動子の偏心回転によって生じる振動が、前記振動ヘッド及びブラシを介して頭皮に伝達される。そして、前記ブラシは柔軟物質から構成されているので、頭皮を傷付けることなく毛穴の脂垢を取り除き、同時にマッサージを行うというものである。
【特許文献１】特開２００１−２５８９７４号公報
【発明の開示】
【発明が解決しようとする課題】
【０００３】
上述した従来技術においては、洗髪時における頭皮のマッサージや患部等のマッサージを行うとき、前記振動ヘッドに内蔵されている振動子の偏心回転によって生じる振動が、前記振動ヘッド及び柔軟物質から構成されている前記ブラシを介して頭皮等に伝達されるというものであるが、前記ブラシは頭皮等に対して単純に振動しているだけなので、頭皮等のマッサージを十分に行うことができないばかりでなく、頭皮の汚れも十分落とすことができないという問題があった。
【０００４】
本発明は以上の問題点を解決し、洗髪及び頭皮のマッサージを行う場合等に、ブラシ部によって優しく且つ効果的に頭皮のマッサージ及び洗浄を行うことができるブラシ装置及びそのブラッシング方法を提供することを目的とし、また、患部のマッサージを行う場合等に、施療部によって優しく且つ効果的に患部のマッサージを行うことができるマッサージ装置及びそのマッサージ方法を提供することを目的とする。
【課題を解決するための手段】
【０００５】
請求項１の発明は、駆動部と、前記駆動部によって動作するブラシ部とを有するブラシ装置において、前記ブラシ部が、可撓性を有する材質から成る板状の基板と、この基板の面に対して交差する方向に突出して設けられた複数の突起とで構成され、前記駆動部に、前記ブラシ部の基板の周縁を前記駆動部に対する位置関係が略固定された状態で保持される枠体を設けると共に、前記駆動部に、前記基板の面と交差する方向にこの基板を撓ませる往復駆動手段を設けたことを特徴とするブラシ装置である。
【０００６】
請求項２の発明は、請求項１において、前記基板の周縁全体を保持するように、前記枠体が設けられたことを特徴とするブラシ装置である。
【０００７】
請求項３の発明は、請求項１又は２において、前記突起の少なくとも基部が、前記基板の撓みに依らず、前記基板に対する角度を略一定に保つように形成されていることを特徴とするブラシ装置である。
【０００８】
請求項４の発明は、請求項１〜３の何れか１項において、前記突起の少なくとも先端部が可撓性を有する材料から成ることを特徴とするブラシ装置である。
【０００９】
請求項５の発明は、請求項１〜４の何れか１項において、前記往復駆動手段を、前記駆動部内に設けられた電動機と、この電動機直接又は間接的に連結されたクランク機構と、このクランク機構に対して一側を連結すると共に前記基板に対して他側を連結したコンロッドを備えたことを特徴とするブラシ装置である。
【００１０】
請求項６の発明は、駆動部と、可撓性を有する基板の面に対して交差する方向に突出する複数の突起を有するブラシ部とを有し、このブラシ部の基板の周縁を枠体によって保持することで前記駆動部に対する前記基板の周縁の位置関係を略固定し、前記基板の中央部を、往復駆動手段によって前記基板の面と交差する方向に撓ませることで、前記複数の突起を繰り返し相互に開閉させることを特徴とするブラシ装置のブラッシング方法である。
【００１１】
請求項７の発明は、駆動部と、前記駆動部によって動作する施療部とを有するマッサージ装置において、前記施療部が、可撓性を有する材質から成る板状の基板と、この基板の面に対して交差する方向に突出して設けられた複数の突起とで構成され、前記駆動部に、前記施療部の基板の周縁を前記駆動部に対する位置関係が略固定された状態で保持される枠体を設けると共に、前記駆動部に、前記基板の面と交差する方向にこの基板を撓ませる往復駆動手段を設けたことを特徴とするマッサージ装置である。
【００１２】
請求項８の発明は、駆動部と、可撓性を有する基板の面に対して交差する方向に突出する複数の突起を有する施療部とを有し、この施療部の基板の周縁を枠体によって保持することで前記駆動部に対する前記基板の周縁の位置関係を略固定し、前記基板の中央部を、往復駆動手段によって前記基板の面と交差する方向に撓ませることで、前記複数の突起を繰り返し相互に開閉させることを特徴とするマッサージ装置のマッサージ方法である。
【発明の効果】
【００１３】
請求項１の発明によれば、前記ブラシ部の基板の周縁が前記枠体によって略固定された状態で、前記基板の中央部を、往復駆動手段によって前記基板の面と交差する方向に撓ませることで、前記複数の突起を繰り返し相互に開閉させることにより、これらの突起を頭皮に当てることで、頭皮を効果的に洗浄したりマッサージしたりすることができる。
【００１４】
また、請求項２の発明によれば、基板の周縁全体が枠体に固定されるので、基板を均一に撓ませることができ、頭皮をいっそう効果的に洗浄したりマッサージしたりすることができる。
【００１５】
また、請求項３の発明によれば、前記ブラシ部の基板が撓んだとしても、この基板と前記突起の基部の角度が略一定に保たれることで、前記複数の突起を確実に繰り返し相互に開閉させることができる。
【００１６】
また、請求項４の発明によれば、前記複数の突起が繰り返し相互に開閉したとしても、これらの突起の先端が撓むことで、頭皮を揉むように優しく洗浄したりマッサージしたりすることができる。
【００１７】
また、請求項５の発明によれば、前記電動機の回転運動を前記クランク機構及びコンロッドによって往復運動に変換し、この往復運動を前記コンロッドによって前記ブラシ部の基板に伝え、この基板を撓ませることで、前記ブラシ部に複数設けられた突起の複雑な動きを簡単に実現することができる。
【００１８】
さらに、請求項６の発明によれば、前記ブラシ部の基板の周縁が前記枠体によって略固定された状態で、前記基板の中央部を、往復駆動手段によって前記基板の面と交差する方向に撓ませることで、前記複数の突起を繰り返し相互に開閉させることにより、これらの突起を頭皮に当てることで、頭皮を効果的に洗浄したりマッサージしたりすることができる。
【００１９】
また、請求項７の発明によれば、前記施療部の基板の周縁が前記枠体によって略固定された状態で、前記基板の中央部を、往復駆動手段によって前記基板の面と交差する方向に撓ませることで、前記複数の突起を繰り返し相互に開閉させることにより、これらの突起を患部に当てることで、患部を効果的にマッサージすることができる。
【００２０】
さらに、請求項８の発明によれば、前記施療部の基板の周縁が前記枠体によって略固定された状態で、前記基板の中央部を、往復駆動手段によって前記基板の面と交差する方向に撓ませることで、前記複数の突起を繰り返し相互に開閉させることにより、これらの突起を患部に当てることで、患部を効果的にマッサージすることができる。
【発明を実施するための最良の形態】
【００２１】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００２２】
図１〜図５は実施例１を示している。１はマッサージ装置を兼用するブラシ装置であり、このブラシ装置１の下部側にはブラシ部２が設けられている。そして、このブラシ部２は、基板３と、この基板３の一側面３Ａ側に突出して一体に設けられた複数の突起４とで構成されている。前記基板３は、軸線Ａを中心とした円板状であって、可撓性を有する軟質合成樹脂によって形成されている。そして、この基板３の縁３Ｂは、前記ブラシ装置１の枠体５の内周全体に固定されている。また、複数の前記突起４は、基端４Ａ側がやや太くなった棒状であると共に、前記軸線Ａを中心として略軸対称となるように、前記基板３と一体に形成されている。さらに、前記各突起４は、その軸線Ｄが前記基板３の一側面３Ａに対して略垂直に交差するように突出して形成されている。なお、前記突起４の基端４Ａは、前記基板３の撓みに依らず、この基板３の一側面３Ａに対して略垂直な状態を保つ。また、前記枠体５は、非可撓性の硬質合成樹脂製であって、前記基板３の縁３Ｂの全周が固定されて前記軸線Ａを中心とした環状に形成されている。尚、図中Ｂは、前記基板３の幅方向であり、前記基板３は前記軸線Ａと直交して交差する前記幅方向Ｂに広く形成され、また、複数の前記突起４は相互に間隔Ｃをおいて配置されている。
【００２３】
また、前記基板３の上方を覆うように、駆動部を構成するカバー６が前記枠体５と一体的に設けられている。そして、前記カバー６内に、前記基板３の中央を前記軸線Ａに沿って上下方向に往復動させる往復駆動手段７が設けられている。この往復駆動手段７は、前記カバー６内のブラケット等の取り付け受け部材６Ａを介して前記枠体５と一体的に設けられた駆動部としてのモータ８と、このモータ８のモータ軸８Ａに取り付けられたクランク機構９と、このクランク機構９の偏心軸９Ａに対して一側10Ａが回動自在に連結されると共に、他側10Ｂが前記基板３の他側面３Ｃの略中央に対して揺動自在に連結されたコンロッド10を備えている。なお、前記モータ８は図示しない減速機構を有し、その回転を所定の減速比で減速して前記モータ軸８Ａを回転させる。また、前記モータ８のモータ軸８Ａと前記クランク機構９の偏心軸９Ａとの偏心距離はＦである。したがって、前記モータ８のモータ軸８Ａが回転すると、このモータ軸８Ａの回転が前記クランク機構９及びコンロッド10によって往復運動に変換されると共に、このコンロッド10によって前記基板３の中央部は軸線Ａに沿って上下方向に往復動する。なお、前述したように、前記基板３の縁３Ｂが前記枠体５に固定されていることで、前記基板３の中央が軸線Ａに沿って上下方向に往復動したとしても、前記縁３Ｂは移動しない。従って、前記基板３は、前記モータ８の回転によって、図４及び図５に示すように、上に撓んだ湾曲凹状態と下に撓んだ湾曲凸状態の間で変形することになる。さらに、前記カバー６内には、図示しない電池を収容する電池ケース11が設けられると共に、前記カバー６の表面には、前記モータ８を作動させるためのスイッチ12が設けられている。
【００２４】
次に、前記構成について、その作用を説明する。洗髪する場合、まず使用者は、前記ブラシ装置１を把持し、前記ブラシ部２の突起４の先端４Ｂを頭皮Ｇに押し当てる。この時、前記突起４の先端４Ｂは、軽い力で前記頭皮Ｇに押し付けられている。次に、スイッチ12を閉成すると、図示しない電池から給電されることで前記モータ８が作動して前記モータ軸８Ａが回転する。この回転に伴い、前記モータ軸８Ａに取り付けられた前記クランク機構９が回転し、このクランク機構９とこのクランク機構９の偏心軸９Ａに連結された前記コンロッド10によって、前記モータ軸８Ａの回転運動が往復運動に変換され、前記コンロッド10に連結された前記基板３が、その中央が前記軸線Ａに沿って往復動することで、前述したように、上に撓んだ湾曲凹状態と下に撓んだ湾曲凸状態の間で振幅が２Ｆとなる変形を繰り返す。
【００２５】
そして、図４に示すように、前記クランク機構９の偏心軸９Ａが前記モータ軸８Ａよりも上方となると、前記コンロッド10によって引き上げられることで、前記基板３はその中央を最上部とする上方に撓んだ湾曲凹状態となる。そして、前記基板３の一側面３Ａと直交するように前記基板３と一体に突設して形成された前記突起４のうち、少なくとも基端４Ａは、前記基板３の一側面３Ａの撓みに伴って、この一側面３Ａとの直交状態をほぼ保って一体的に動くことにより、前記複数の突起４の先端４Ｂ同士が閉じる、即ち前記複数の突起４の少なくとも基端４Ａにおける軸線Ｄ同士が内向きとなるように移動することになる。なお、実際には、前述したように、前記突起４の先端４Ｂが軽い力で前記頭皮Ｇに押し付けられていることによって、前記突起４の先端４Ｂは常に頭皮Ｇに当接していることになり、この結果、可撓性を有する軟質合成樹脂によって形成された前記突起４のうち、少なくとも前記基板３の外周側に形成された前記突起４における太く形成された基端４Ａは、僅かに撓むものの、実質的に殆ど変形せず前記基板３の一側面３Ａに対してほぼ直交した状態を保つ一方、細く形成された先端４Ｂ側は、大きく撓んだ状態で頭皮Ｇと当接することになる。そして、このように前記モータ８が回転して前記ブラシ部２の基板３が上方に撓むことで、前記突起４が頭皮Ｇに当接した状態で内側に動くことになり、この際、前記突起４の先端４Ｂによって頭皮Ｇが掴まれるようにマッサージされると同時に、洗髪剤等によって頭皮Ｇのみならず髪Ｈも洗浄されることになる。なお、前述したように、前記ブラシ部２の頭皮Ｇへの押し付け力及び前記突起４の動きに伴って前記突起４の先端４Ｂが撓むことで、頭皮Ｇは柔らかく揉まれるような感触でマッサージ及び洗浄されることになる。
【００２６】
この後、前記クランク機構９の偏心軸９Ａが上死点から下方に回転すると、前記基板３は前記コンロッド10によって押されて徐々に変形し、図５に示すように、中央部を最下部とする下方に撓んだ湾曲凸状態となる。この過程で、前記突起４のうち、少なくとも基端４Ａは、前記基板３の一側面３Ａの撓みに伴って、この一側面３Ａとの直交状態をほぼ保って一体的に動くことにより、前記複数の突起４の先端４Ｂ同士が開く、即ち前記複数の突起４の少なくとも基端４Ａにおける軸線Ｄ同士が外向きとなるように移動することになる。なお、実際には、前述したように、前記突起４の先端４Ｂが軽い力で前記頭皮Ｇに押し付けられていることによって、前記突起４の先端４Ｂは常に頭皮Ｇに当接していることになり、この結果、可撓性を有する軟質合成樹脂によって形成された前記突起４のうち、少なくとも前記基板３の中央部に形成された前記突起４における太く形成された基端４Ａは、僅かに撓むものの、実質的に殆ど変形せず前記基板３の一側面３Ａに対してほぼ直交した状態を保つ一方、細く形成された先端４Ｂ側は、大きく撓んだ状態で頭皮Ｇと当接することになる。そして、このように前記モータ８が回転して前記ブラシ部２の基板３が下方に撓むことで、前記突起４が頭皮Ｇに当接した状態で外側に動くことになり、この際、前記突起４の先端４Ｂによって頭皮Ｇが押し広げられるようにマッサージされると同時に、洗髪剤等によって頭皮Ｇのみならず髪Ｈも洗浄されることになる。なお、前述したように、前記ブラシ部２の頭皮Ｇへの押し付け力及び前記突起４の動きに伴って前記突起４の先端４Ｂが撓むことで、頭皮Ｇは柔らかく揉まれるような感触でマッサージ及び洗浄されることになる。
【００２７】
このように、前記クランク機構９及びコンロッド10によって前記モータ８の回転力を往復運動に変換して、前記突起４を頭皮Ｇに接触させ続けた状態で前記ブラシ部２の基板３を繰り返し撓ませて、この基板３に一体に設けられた複数の前記突起４を繰り返し閉開させることで、複数の前記突起４によって掴んだり押し広げたりするような刺激を頭皮Ｇに与えてマッサージすると共に、このような複数の前記突起４の動きによる前記突起４の先端４Ｂの頭皮Ｇとの摩擦及び洗髪剤の作用によって、頭皮Ｇのみならず髪Ｈも洗浄されることになる。
【００２８】
以上のように、前記実施例では、ブラシ部２の可撓性を有する基板３の一側面３Ａに複数の突起４を前記基板３の軸線Ａを中心として略軸対称となるように、且つ前記突起４の前記軸線Ｄが前記基板３の一側面３Ａと直交するように、前記基板３と一体に形成し、前記基板３の縁３Ｂを枠体５に固定し、駆動部としてのモータ８を作動させることで、往復駆動手段７によって、この往復駆動手段７に連結された前記基板３を、上に撓んだ湾曲凹状態と下に撓んだ湾曲凸状態の間で前記軸線Ａに沿って繰り返し変形させることにより、前記基板３に設けられた複数の突起４が繰り返し開閉することになり、頭皮Ｇを掴んだり押し広げたりする動作を繰り返し、頭皮Ｇのマッサージ及び頭皮Ｇと髪Ｈの洗浄を行うことができる。
【００２９】
また、前記実施例では、前記基板３の縁３Ｂ全周を前記枠体５に固定しているので、前記基板３の湾曲変形を均一に行うことができ、むらなく頭皮Ｇのマッサージ及び頭皮Ｇと髪Ｈの洗浄を良好に行うことができる。
【００３０】
また、前記実施例では、前記突起４の基端４Ａが先端４Ｂよりも太く形成されていることで、前記基板３の撓みに依らず、前記基板３の一側面３Ａに対して突起４の軸線Ｄが直交する状態を保つことにより、前記突起４の先端４Ｂを頭皮Ｇに押し当ててブラシ部２を動作させても、前記複数の突起４が開閉を繰り返すことができるので、確実に頭皮Ｇのマッサージ及び頭皮Ｇと髪Ｈの洗浄を行うことができる。
【００３１】
また、前記突起４の先端４Ｂが基端４Ａよりも細く形成されていることで、前記突起４の先端４Ｂが頭皮Ｇに押し当てられた際に撓むので、優しく頭皮Ｇのマッサージ及び頭皮Ｇと髪Ｈの洗浄を行うことができる。
【００３２】
さらに、前記往復駆動手段７を、モータ８とクランク機構９とコンロッド10とで構成することによって、前記ブラシ部２に設けられた複数の前記突起４の複雑な動きを簡単に実現することができる。
【実施例２】
【００３３】
図６は実施例２を示しており、前記実施例１と同一部分には同一符号を付し、その詳細な説明を省略する。実施例２においては、可撓性を有する軟質合成樹脂によって形成されると共に複数の突起４が一体に設けられた１枚の基板３の複数箇所に往復駆動手段７を接続して、基板３を繰り返し往復して湾曲可能にしたものである。このように、１枚の前記基板３の複数箇所に前記往復駆動手段７を接続することで、前記基板３の面積が広い場合であっても、この基板３を良好に撓ませることができるので、多数の前記突起４により頭皮Ｇのマッサージ及び頭皮Ｇと髪Ｈの洗浄を良好に行うことができる。
【実施例３】
【００３４】
図７〜図８は実施例３を示しており、前記各実施例と同一部分には同一符号を付し、その詳細な説明を省略する。実施例３においては、マッサージ装置１Ａを用いる例を示し、このマッサージ装置１Ａは上記各実施例のブラシ装置１と同一構成をなすものであって、施療部である前記ブラシ部２を有する。
【００３５】
そして、腕、肩、腰など患部Ｋのマッサージを行う場合、まず使用者は、前記マッサージ装置１Ａを把持し、前記ブラシ部２の突起４の先端４Ｂを患部Ｋに押し当てる。この時、前記突起４の先端４Ｂは、軽い力で前記患部Ｋに押し付けられている。次に、スイッチ12を閉成すると、上述したように前記コンロッド10によって、前記モータ軸８Ａの回転運動が往復運動に変換され、前記コンロッド10に連結された前記基板３が、その中央が前記軸線Ａに沿って往復動することで、上に撓んだ湾曲凹状態と下に撓んだ湾曲凸状態の間で振幅が２Ｆとなる変形を繰り返し、図７に示すように、前記クランク機構９の偏心軸９Ａが前記モータ軸８Ａよりも上方となると、前記コンロッド10によって引き上げられることで、前記基板３はその中央を最上部とする上方に撓んだ湾曲凹状態となり、このように前記モータ８が回転して前記ブラシ部２の基板３が上方に撓むことで、前記突起４が患部Ｋに当接した状態で内側に動くことになり、この際、前記突起４の先端４Ｂによって患部Ｋが掴まれるようにマッサージされる。
【００３６】
続いて、前記クランク機構９の偏心軸９Ａが上死点から下方に回転すると、前記基板３は前記コンロッド10によって押されて徐々に変形し、図８に示すように、中央部を最下部とする下方に撓んだ湾曲凸状態となり、このように前記モータ８が回転して前記ブラシ部２の基板３が下方に撓むことで、前記突起４が患部Ｋに当接した状態で外側に動くことになり、この際、前記突起４の先端４Ｂによって患部Ｋが押し広げられるようにマッサージされる。
【００３７】
このように、前記ブラシ部２の患部Ｋへの押し付け力及び前記突起４の動きに伴って前記突起４の先端４Ｂが撓むことで、患部Ｋが柔らかく揉まれるような感触でマッサージされる。
【００３８】
また、本実施例では、基板３の周縁全体を保持するように、枠体５が設けられ、また、突起４の少なくとも基部４Ａが、基板３の撓みに依らず、基板３に対する角度を略一定に保つように形成されており、さらに、突起４の少なくとも先端４Ｂが可撓性を有する材料から成り、往復駆動手段７を、駆動部内に設けられた電動機たるモータ８と、このモータ８に直接又は間接的に連結されたクランク機構９と、このクランク機構９に対して一側10Ａを連結すると共に基板３に対して他側10Ｂを連結したコンロッド10とを備えたから、上記各実施例と同様な作用、効果を奏する。
【実施例４】
【００３９】
図９及び図１０は実施例４を示しており、前記各実施例と同一部分には同一符号を付し、その詳細な説明を省略する。実施例４においては、ブラシ装置１又はマッサージ器１Ａは、前記突起４の他に、長さ及び／又は太さの異なる突起４´，４´´を備え、また、前記基板３は平面略楕円形に形成されている。また、図９に示すように、ブラシ装置１には把手部13が一体に設けられている。
【００４０】
前記突起４´は、前記突起４より短く、該突起４´の基端４Ａは突起４の基端４Ａより太く形成されている。したがって、前記突起４´は、突起４に比べて撓み性（撓み易さ）は低く、使用時において、基板３の一側面３Ａに対してほとんど直交した状態を保つ。また、前記突起４´´は、前記突起４及び４´より短く、該突起４´´の基端４Ａは突起４の基端４Ａとほぼ同じ太さに形成されている。したがって、前記突起４´は、短い分だけ前記突起４に比べて撓み性は低く、使用時において、同一の力を受けた場合、先端４Ｂの撓みは前記突起４より小さい。尚、これら突起４´，４´´は長さ及び／又は太さが異なる以外は、前記突起４と同一構成を備える。そして、前記基板３の一側面３Ａ側には、複数の前記突起４，４´，４´´が一体に突設している。前記突起４は、前記基板３の一側面３Ａの周囲側に複数突設されており、前記突起４に囲まれた中央側に、前記突起４´が前記軸線Ａをほぼ中心として略環列状に複数（この例では８個）突設されており、前記突起４´に囲まれた中央に前記軸心Ａをほぼ中心にして略環列状に複数（この例では６個）の前記突起４´´が配置されている。このように配置することにより、前記基板３の一側面３Ａの周囲から中心の軸線Ａに向かって前記突起４，４´，４´´の高さが低くなるように設定されており、このように設定することにより頭皮Ｇなどの湾曲凸状の部位をマッサージ及び洗浄する場合、前記突起４，４´，４´´の先端がその部位に添い易くなる。
【００４１】
そして、上述したように、前記スイッチ12を閉成すると、前記基板３の中央が前記軸線Ａに沿って往復動することで、上に撓んだ湾曲凹状態と下に撓んだ湾曲凸状態の間で振幅が２Ｆとなる変形を繰り返す。この場合、前記基板３が平らな状態から、上に撓んだ湾曲凹状態に向うと、前記基板３の周囲側に設けられた前記突起４が頭部Ｇに当接した状態でこの頭部Ｇを前記先端４Ｂが撓みながら内側に動くことになり、中央側の前記突起４´，４´´が頭部Ｇに当接した状態で内側に動き、この際、主として前記突起４の先端４Ｂによってが掴まれるようにマッサージされると同時に、洗髪剤等によって頭皮Ｇのみならず髪Ｈも洗浄されることになる。続いて、前記基板３が平らな状態に戻ってから、下に撓んだ湾曲凸状態に向うと、前記基板３の周囲側に設けられた前記突起４が頭部Ｇに当接した状態でこの頭部Ｇを前記先端４Ｂが撓みながら外側に動き、また、中央側の太い突起４´は頭部Ｇに当接した後、この当接状態で先端４Ｂがほとんど撓むことなく、頭部Ｇに沿って外側に動き、さらに、中央の細くて短い突起４´´は頭部Ｇに当接した後、この当接状態で先端４Ｂが僅かに撓みながら外側に動き、前記突起４，４´，４´´の先端４Ｂ，４Ｂ，４Ｂによって頭皮Ｇが押し広げられるようにマッサージされると同時に、洗髪剤等によって頭皮Ｇのみならず髪Ｈも洗浄されることになる。
【００４２】
このように、前記ブラシ部２の頭部Ｇへの押し付け力及び前記突起４の動きに伴って周囲の前記突起４の先端４Ｂが撓むことで、頭部Ｇが柔らかく揉まれるような感触でマッサージされ、中央側の前記突起４´，４´´は、僅かに撓みながら、頭部Ｇに沿って動き、このように本実施例では、突起４，４´，４´´は長さ及び／又は太さが異なるため、突起４，４´，４´´の当たる箇所により異なるマッサージ効果が得られる。また、前記基板３の一側面３Ａの周囲から中心に向って前記突起４，４´，４´´の高さが低くなるように設定されているから、例えば頭部Ｇ頂部の湾曲凸状部分に突起４，４´，４´´全体が添い易いため、湾曲凸状部分に対するマッサージ効果に優れたものとなる。
【００４３】
なお、本発明は以上の実施例に限定されるものではなく、発明の要旨の範囲内で種々の変形が可能である。例えば、上記各実施例では、前記複数の突起を前記基板の面方向に対してほぼ垂直に交差させて形成しているが、前記複数の突起は、前記基板の面方向に対してやや傾いて交差するようにしてもよい。また、実施例２において、往復駆動手段における複数のコンロッドは同位相に設定されているが、これらの位相を適宜ずらしてもよい。また、上記各実施例において、前記往復駆動手段は、モータとクランク機構とコンロッドとで構成されているが、ソレノイドとプランジャ、或いはリニアモータ等で構成してもよい。更に、上記各実施例では、前記ブラシ部単体における基板の形状を平面状としたが、このブラシ部単体における基板の形状は初めから下方に凸となる形状であることが望ましい。これは、前記コンロッドによって平板状の前記基板を下方に押す場合、前記コンロッドが前記基板に対して揺動可能に連結されているため、前記コンロッドの下動時に前記基板を斜めに押してしまうことになるからである。これに対して、前記ブラシ部単体における基板の形状が初めから下方に凸、更に望ましくは、前記往復駆動手段の下死点に対応する最も下方まで撓んだ凸形状であれば、前記往復駆動手段が下死点から上死点へ移動する際には前記コンロッドによって前記基板を引き上げると共に、前記往復駆動手段が上死点から下死点へ移動する際には、前記基板の復元力によって前記基板が下方に凸の状体に戻るのと同時に前記コンロッドによって前記基板が押されることになり、前記基板、ひいては前記ブラシ部がほぼ均一に復元して下方に凸となるので、頭皮のマッサージ等を良好に行うことができる。また、患部には頭皮も含まれる。
【産業上の利用可能性】
【００４４】
以上のように、本発明にかかるブラシ装置及びマッサージ装置は、頭皮の他に、他の身体表面のマッサージや洗浄等の用途にも適用できる。
【図面の簡単な説明】
【００４５】
【図１】本発明の実施例１を示す斜視図である。
【図２】本発明の実施例１を示すモータの正面側から見た全体断面図である。
【図３】本発明の実施例１を示すモータの側面側から見た全体断面図である。
【図４】本発明の実施例１を示す基盤が凹となった状態の全体断面図である。
【図５】本発明の実施例１を示す基盤が凸となった状態の全体断面図である。
【図６】本発明の実施例２を示す全体断面図である。
【図７】本発明の実施例３を示す基盤が凹となった状態の全体断面図である。
【図８】本発明の実施例３を示す基盤が凸となった状態の全体断面図である。
【図９】本発明の実施例４を示すブラシ部の正面図である。
【図１０】本発明の実施例４を示すブラシ部の断面説明図である。
【符号の説明】
【００４６】
１  ブラシ装置
１Ａ  マッサージ装置
２  ブラシ部（施療部）
３  基板
３Ａ  一側面
３Ｂ  縁
４，４´，４´´  突起
４Ａ  基端
４Ｂ  先端
５  枠体
６  カバー（駆動部）
７  往復駆動手段
８  モータ（駆動部・電動機）
８Ａ  モータ軸
９  クランク機構（往復駆動手段）
９Ａ  偏心軸
10  コンロッド
10Ａ  一側
10Ｂ  他側
Ａ  軸線
Ｄ  軸線
Ｇ  頭皮
Ｈ  髪
Ｋ  患部
【図１】
2006034941.tif 000003
【図２】
2006034941.tif 000004
【図３】
2006034941.tif 000005
【図４】
2006034941.tif 000006
【図５】
2006034941.tif 000007
【図６】
2006034941.tif 000008
【図７】
2006034941.tif 000009
【図８】
2006034941.tif 000010
【図９】
2006034941.tif 000011
【図１０】
2006034941.tif 000012